(57)【要約】      （修正有）【課題】使い勝手がよく、ベビーカーの上面側に限らず正面側や側面側の日差しも遮ることができるベビーカー用サンシェードを提供する。【解決手段】樹脂コーティングされたばね鋼の線材からなり、コンパクトに畳めて元の形に戻る円孤状の芯材２と、芯材にシートの周縁部が取り付けられ、ベビーカーの上側を膨らむように覆う第１の日除けシート１と、芯材に周縁部が取り付けられ、通気性を有して、内部が透けて見える網目のシートからなり、ベビーカーの正面と側面を覆う第２の日除けシート３とにより構成する。さらに、第１の日除けシートの後端両側に設けられ、第１の日除けシートをベビーカーに固定する第１の紐と、第２の日除けシートの後端両側に設けられ、第２の日除けシートをベビーカーに固定する第２の紐と、芯材の前方両側に設けられ、芯材の傾斜角度を調節可能な第３の紐と、が備えられる。【選択図】図４
0003174204.tif 000002
【実用新案登録請求の範囲】
【請求項１】
樹脂コーティングされたばね鋼の線材からなり、コンパクトに畳めて元の形に戻る円孤状の芯材と、
前記芯材にシートの周縁部が取り付けられ、ベビーカーの上側を膨らむように覆う第１の日除けシートと、
前記芯材に周縁部が取り付けられ、通気性を有して、内部が透けて見える網目のシートからなり、ベビーカーの正面と側面を覆う第２の日除けシートと、
前記第１の日除けシートの後端両側に設けられ、前記第１の日除けシートをベビーカーに固定する第１の紐と、
前記第２の日除けシートの後端両側に設けられ、前記第２の日除けシートをベビーカーに固定する第２の紐と、
前記芯材の前方両側に設けられ、前記芯材の傾斜角度を調節可能な第３の紐と、が備えられることを特徴とするベビーカー用サンシェード。
【請求項２】
前記第１の紐と前記第３の紐は、２本組の紐が両側に設けられると共に、前記第２の紐は、１本の紐が両側に設けられることを特徴とする請求項１に記載のベビーカー用サンシェード。
【考案の詳細な説明】
【技術分野】
【０００１】
本考案は、ベビーカー用サンシェードに係り、より詳しくは、ベビーカーの上面、前面、側面の日差しを遮ることができるベビーカー用サンシェードに関する。
【背景技術】
【０００２】
特許文献１に、ベビーカーに装着可能な日除け装具が提案されている。一般に、ベビーカーには日除けの幌が取り付けられているが、幼児の頭部の上側をカバーするだけで、前方斜め上方からの日差しを防ぐには十分でない。そのため、特許文献１の日除け装具は、日除けシートにＵ字形の芯材を取り付け、これを幌の上から覆うように取り付けて、前方斜め上方の日差しを遮る日除け装具を提案している。しかしながら、ベビーカーの正面側や側面側から水面で反射した日差しが入るような場合もあるので、日除けが必ずしも十分ではないとの問題がある。
【先行技術文献】
【特許文献】
【０００３】
【特許文献１】特開２００６−１５８８３号公報
【考案の概要】
【考案が解決しようとする課題】
【０００４】
本考案の目的は、使い勝手がよく、ベビーカーの上面側に限らず正面側や側面側の日差しも遮ることができるベビーカー用サンシェードを提供することにある。
【課題を解決するための手段】
【０００５】
本考案によるベビーカー用サンシェードは、樹脂コーティングされたばね鋼の線材からなり、コンパクトに畳めて元の形に戻る円孤状の芯材と、前記芯材にシートの周縁部が取り付けられ、ベビーカーの上側を膨らむように覆う第１の日除けシートと、前記芯材に周縁部が取り付けられ、通気性を有して、内部が透けて見える網目のシートからなり、ベビーカーの正面と側面を覆う第２の日除けシートと、前記第１の日除けシートの後端両側に設けられ、前記第１の日除けシートをベビーカーに固定する第１の紐と、前記第２の日除けシートの後端両側に設けられ、前記第２の日除けシートをベビーカーに固定する第２の紐と、前記芯材の前方両側に設けられ、前記芯材の傾斜角度を調節可能な第３の紐と、が備えられることを特徴とする。
【０００６】
前記第１の紐と前記第３の紐は、２本組の紐が両側に設けられると共に、前記第２の紐は１本の紐が両側に設けられることを特徴とする。
【考案の効果】
【０００７】
本考案によるベビーカー用サンシェードによれば、（１）第１の日除けシートがベビーカーの上面を覆い、さらに、第２の日除けシートでベビーカーの正面側と側面側を覆うようにしたので、上方からの日差しに加えて、正面と側面から入る日差しも遮ることができる。（２）第２の日除けシートは、通気性を有し、内部が透けて見える網目のシートとしたので、虫除けが可能で幼児の状態も容易に確認できる。（３）第２の日除けシートは、めくり上げて芯材の上側に畳み込めるので、正面側と側面側を容易に開放できる。（４）芯材に取り付けた第３の紐を設けたので、ベビーカーに幌がないような場合でも芯材の傾斜角度を調節できる。（５）第２の日除けシートを芯材の上側にめくり上げた状態で、芯材を後方に倒せば、ベビーカーの正面と前方斜め上方が開かれて、幼児の乗り降りを容易にできる。（６）後方に倒した日除けシートを第１の紐〜第３の紐で固定すれば、日除けシートをベビーカーから取り外すことなく、常に装着しておくことができる。（７）日除けシートをベビーカーから取り外した場合でも、ばね鋼の線材からなる芯材を使用したので、丸くコンパクトに畳めて小袋に収納できる。小袋から取り出せば、芯材２は元の円孤状の形に戻る。
【０００８】
第１の紐と第３の紐は、２本組の紐を両側に設けたので、それぞれ個別にベビーカーに固定することができる。例えば、芯材を右側に傾けて固定するなら、第１の日除けシートで右側上方向からの日差しを遮ることができる。第２の紐は、１本の紐を両側に設けたので、互いに縛り合わせてベビーカーに第２の日除けシートを巻き付けることができる。
【図面の簡単な説明】
【０００９】
【図１】本考案によるベビーカー用サンシェードの平面図である。
【図２】本考案によるベビーカー用サンシェードの背面図である。
【図３】本考案によるベビーカー用サンシェードの斜視図である。
【図４】本考案によるベビーカー用サンシェードをベビーカーに装着した場合の前方斜め上方からの斜視図である。
【図５】本考案によるベビーカー用サンシェードをベビーカーに装着した場合の側面上方からの斜視図である。
【図６】本考案によるベビーカー用サンシェードをベビーカーに装着した場合の正面下方からの斜視図である。
【図７】図６で第２の日除けシートをめくり上げた場合の斜視図である。
【考案を実施するための形態】
【００１０】
以下、図面を参照して、本考案によるベビーカー用サンシェードを説明する。
【実施例】
【００１１】
図１は、本考案によるベビーカー用サンシェードの平面図である。ベビーカー用サンシェード１００は、円孤状の芯材２と、芯材２の上側に膨らむように設けられる第１の日除けシート１と、芯材２の下側に膨らむように設けられる第２の日除けシート３からなる。第１の日除けシート１は、周縁部が芯材２にくくり付けられる。第１の日除けシート１は袋状で、芯材２の両端側にはヒダが設けられ伸縮可能である。芯材２は、樹脂コーティングされたばね鋼の線材からなる。そのため、両端を容易に撓ませることができる。また、芯材２は丸めてコンパクトに畳むことができるので、小袋に収納できる。小袋から取り出せば、芯材２は、元の円弧状の形に戻る。
【００１２】
図２は、ベビーカー用サンシェード１００の背面図である。第２の日除けシート３は、芯材２の下側を膨らむように設けられ、周縁部が芯材２にくくり付けられている。ベビーカーにベビーカー用サンシェード１００を取り付けるための紐は、第１の日除けシート１をベビーカーに固定する第１の紐４と、第２の日除けシート３をベビーカーに固定する第２の紐５と、芯材２の傾斜角度を調節可能な第３の紐６と、で構成される。第３の紐６は、芯材２の前方両側の対向する位置に取り付けられる。
【００１３】
第１の紐４と第３の紐６は、２本組の紐で、左右両側に設けられる。そのため、それぞれを互いに結んで個別にベビーカーに固定できる。例えば、芯材２を低くするように傾けて固定できる。第２の紐５は、両側に１本の紐をそれぞれ設けたもので、互いに縛り合わせてベビーカーに第２の日除けシートを巻き付ける。
【００１４】
図３は、ベビーカー用サンシェード１００の斜視図である。第２の日除けシート３は、芯材２の下側を膨らむように設けられ、図３の場合は、芯材２を持ち上げているので、下側に垂れ下がっている。第２の日除けシート３の周縁部は、芯材２にくくり付けられる。第１の日除けシート１は、実際の使用状態とは異なり、芯材２の内側に沈み込んでいる。第２の日除けシート３は、通気性のある網目状のシートで、内部が透けて見える。第２の日除けシート３は、下側と後側が開口しており、ベビーカーの前方と側面及び後方を包み込む袋状の形状である。
【００１５】
図４は、ベビーカー用サンシェード１００をベビーカーに装着した場合の前方斜め上方からの斜視図である。図４に示すように、第２の日除けシート３は、ベビーカー５０に巻き付けられて、第２の紐５によりベビーカー５０のハンドルの下側のフレームに固定されている。第１の日除けシート１は、中央が突出しているが、これはベビーカー５０の幌のフレームによるものである。第１の日除けシート１の後端は、第１の紐４でベビーカー５０のフレームに固定されている。芯材２は、前方に約３０度程度傾いているが、傾斜角度は図２に示す第３の紐６のフレームへの縛り具合で調節することができる。
【００１６】
図５は、ベビーカー用サンシェードは１００をベビーカーに装着した場合の側面上方からの斜視図である。第２の日除けシート３は、ベビーカー５０の両側面も覆うことができる。
【００１７】
図６は、ベビーカー用サンシェード１００をベビーカーに装着した場合の正面下方からの斜視図である。第２の日除けシート３は、ベビーカー５０の正面側を覆うが、着座した幼児の足の部分も覆うことができる。
【００１８】
図７は、図６で第２の日除けシート３をめくり上げた場合の斜視図である。第２の日除けシート３は、めくり上げて芯材２の縁に畳み込むことができる。図示しないが、第２の日除けシート３をめくり上げた後、さらに、芯材２をベビーカー５０の後方に倒すこともできる。その状態では、ベビーカー５０の日除け幌が現れて、幼児の乗り降りに必要な空間がさらに確保できる。このような使い方によれば、ベビーカーに、本考案のベビーカー用サンシェード１００を取り外すことなく、常に取り付けておくことができる。なお、第２の日除けシート３は、蚊を防げる細かさの網目なので、虫除けにもなる。
【産業上の利用可能性】
【００１９】
本考案は、ベビーカーの上面、正面、側面の日差しを遮ることができるので、ベビーカー用サンシェードとして好適である。
【符号の説明】
【００２０】
１    第１の日除けシート
２    芯材
３    第２の日除けシート
４    第１の紐
５    第２の紐
６    第３の紐
５０    ベビーカー
１００    ベビーカー用サンシェード
【図１】
0003174204.tif 000003
【図２】
0003174204.tif 000004
【図３】
0003174204.tif 000005
【図４】
0003174204.tif 000006
【図５】
0003174204.tif 000007
【図６】
0003174204.tif 000008
【図７】
0003174204.tif 000009